(57)【要約】【課題】重複採番を防止できる採番制御装置、採番制御方法および採番制御プログラムを提供することを課題とする。【解決手段】本実施形態では、生成部１０２ａが、事業者を識別するための事業者番号と、前記事業者が各商品に対して自由に採番可能な自由番号と、を含む商品管理番号を生成し、判定部１０２ｂが、当該生成またはオペレータにより入力された商品管理番号が、既に使用された商品管理番号を記憶する商品管理番号マスタ中に存在するか存在しないかを判定する。【選択図】図１
2018073286.tif 000002
【特許請求の範囲】
【請求項１】
制御部および記憶部を備え、
事業者を識別するための事業者番号と、前記事業者が各商品に対して自由に採番可能な自由番号と、を含む商品管理番号の採番を制御する採番制御装置であって、
前記記憶部には、
既に使用された商品管理番号を記憶する商品管理番号マスタが格納されており、
前記制御部は、
前記商品管理番号を生成する生成手段と、
当該生成または入力された商品管理番号が、前記商品管理番号マスタ中に存在するか存在しないかを判定する判定手段と、
を備えること、
を特徴とする採番制御装置。
【請求項２】
前記記憶部には、
既に使用された自由番号に１だけ加算した数を、使用可能な最小自由番号として記憶する最小自由番号マスタが格納されており、
前記制御部は、
前記存在しない場合であって、かつ、前記生成または入力された商品管理番号における自由番号が、前記最小自由番号と比較して同じまたは大きい場合、前記生成または入力された商品管理番号における自由番号に１だけ加算した数を、使用可能な最小自由番号として、前記最小自由番号マスタ中に更新する更新手段を更に備えることを特徴とする請求項１に記載の採番制御装置。
【請求項３】
前記記憶部には、前記事業者番号が記憶されており、
前記生成手段は、
前記記憶部から取得した前記事業者番号と、前記最小自由番号マスタから取得した前記最小自由番号と、を組み合わせることにより前記商品管理番号を生成することを特徴とする請求項２に記載の採番制御装置。
【請求項４】
前記商品管理番号が、ＪＡＮコードであることを特徴とする請求項１から３のうちいずれか一つに記載の採番制御装置。
【請求項５】
制御部および記憶部を備えた情報処理装置で実行される、
事業者を識別するための事業者番号と、前記事業者が各商品に対して自由に採番可能な自由番号と、を含む商品管理番号の採番を制御する採番制御方法であって、
前記記憶部には、
既に使用された商品管理番号を記憶する商品管理番号マスタが格納されており、
前記制御部で実行される、
前記商品管理番号を生成する生成ステップと、
当該生成または入力された商品管理番号が、前記商品管理番号マスタ中に存在するか存在しないかを判定する判定ステップと、
を含むこと、
を特徴とする採番制御方法。
【請求項６】
制御部および記憶部を備えた情報処理装置に実行させるための、
事業者を識別するための事業者番号と、前記事業者が各商品に対して自由に採番可能な自由番号と、を含む商品管理番号の採番を制御する採番制御プログラムであって、
前記記憶部には、
既に使用された商品管理番号を記憶する商品管理番号マスタが格納されており、
前記制御部に実行させるための、
前記商品管理番号を生成する生成ステップと、
当該生成または入力された商品管理番号が、前記商品管理番号マスタ中に存在するか存在しないかを判定する判定ステップと、
を含むこと、
を特徴とする採番制御プログラム。
【発明の詳細な説明】
【技術分野】
【０００１】
本発明は、採番制御装置、採番制御方法および採番制御プログラムに関する。
【背景技術】
【０００２】
特許文献１には、メーカーコードおよび商品（アイテム）を一意に識別するためのアイテムコードの取得を行い、メーカーコードとアイテムコードの組み合わせにより共通商品コードを形成するネットワーク商取引管理システムが開示されている（例えば、段落００１３および００１４等を参照）。
【先行技術文献】
【特許文献】
【０００３】
【特許文献１】特開２００４−３８２３０号公報
【発明の概要】
【発明が解決しようとする課題】
【０００４】
しかしながら、手入力で採番を行う場合には、依然として、異なる種類の商品に対して同じコード（番号）を採番してしまう（いわゆる重複採番をしてしまう）可能性が残る。
【０００５】
本発明は、上記に鑑みてなされたものであって、重複採番を防止できる採番制御装置、採番制御方法および採番制御プログラムを提供する。
【課題を解決するための手段】
【０００６】
上述した課題を解決し、目的を達成するために、本発明に係る採番制御装置は、制御部および記憶部を備え、事業者を識別するための事業者番号と、前記事業者が各商品に対して自由に採番可能な自由番号と、を含む商品管理番号の採番を制御する採番制御装置であって、前記記憶部には、既に使用された商品管理番号を記憶する商品管理番号マスタが格納されており、前記制御部は、前記商品管理番号を生成する生成手段と、当該生成または入力された商品管理番号が、前記商品管理番号マスタ中に存在するか存在しないかを判定する判定手段と、を備えること、を特徴とする。
【０００７】
また、本発明に係る採番制御装置は、前記記憶部には、既に使用された自由番号に１だけ加算した数を、使用可能な最小自由番号として記憶する最小自由番号マスタが格納されており、前記制御部は、前記存在しない場合であって、かつ、前記生成または入力された商品管理番号における自由番号が、前記最小自由番号と比較して同じまたは大きい場合、前記生成または入力された商品管理番号における自由番号に１だけ加算した数を、使用可能な最小自由番号として、前記最小自由番号マスタ中に更新する更新手段を更に備えることを特徴とする。
【０００８】
また、本発明に係る採番制御装置は、前記記憶部には、前記事業者番号が記憶されており、前記生成手段は、前記記憶部から取得した前記事業者番号と、前記最小自由番号マスタから取得した前記最小自由番号と、を組み合わせることにより前記商品管理番号を生成することを特徴とする。
【０００９】
また、本発明に係る採番制御装置は、前記商品管理番号が、ＪＡＮコードであることを特徴とする。
【００１０】
また、本発明に係る採番制御方法は、制御部および記憶部を備えた情報処理装置で実行される、事業者を識別するための事業者番号と、前記事業者が各商品に対して自由に採番可能な自由番号と、を含む商品管理番号の採番を制御する採番制御方法であって、前記記憶部には、既に使用された商品管理番号を記憶する商品管理番号マスタが格納されており、前記制御部で実行される、前記商品管理番号を生成する生成ステップと、当該生成または入力された商品管理番号が、前記商品管理番号マスタ中に存在するか存在しないかを判定する判定ステップと、を含むこと、を特徴とする。
【００１１】
また、本発明に係る採番制御プログラムは、制御部および記憶部を備えた情報処理装置に実行させるための、事業者を識別するための事業者番号と、前記事業者が各商品に対して自由に採番可能な自由番号と、を含む商品管理番号の採番を制御する採番制御プログラムであって、前記記憶部には、既に使用された商品管理番号を記憶する商品管理番号マスタが格納されており、前記制御部に実行させるための、前記商品管理番号を生成する生成ステップと、当該生成または入力された商品管理番号が、前記商品管理番号マスタ中に存在するか存在しないかを判定する判定ステップと、を含むこと、を特徴とする。
【発明の効果】
【００１２】
本発明によれば、重複採番を防止できるという効果を奏する。
【図面の簡単な説明】
【００１３】
【図１】図１は、採番制御装置の構成の一例を示すブロック図である。
【図２】図２は、ＪＡＮコードの説明図である。
【図３】図３は、記憶部に格納されているマスタおよびＪＡＮコード入力画面の一例を示す図である。
【図４】図４は、本実施形態に係る採番制御処理のうち、自動採番の場合のフローチャートの一例を示す図である。
【図５】図５は、本実施形態に係る採番制御処理のうち、自動採番の場合のフローチャートの一例を示す図である。
【図６】図６は、本実施形態に係る採番制御処理のうち、手入力による採番の場合のフローチャートの一例を示す図である。
【図７】図７は、本実施形態に係る採番制御処理のうち、手入力による採番の場合のフローチャートの一例を示す図である。
【発明を実施するための形態】
【００１４】
以下に、本発明に係る採番制御装置、採番制御方法および採番制御プログラムの実施形態を、図面に基づいて詳細に説明する。なお、本実施形態によりこの発明が限定されるものではない。
【００１５】
［１．概要］
小売業界、卸売業界等の分野においては、各商品を識別するために、各商品に対してＪＡＮコードを採番する。ＪＡＮコードは、国コード、メーカーコード、アイテムコードおよびチェックディジットコードからこの順でなるコードである。各商品とＪＡＮコードとは、１：１の関係になっており、ＪＡＮコードを参照することにより、製造国、製造元企業、商品の種類等を知ることができる。
【００１６】
従来、このＪＡＮコードの採番は、手入力により行われていたため、異なる種類の商品に対して同じコードを採番してしまう（いわゆる重複採番）というリスクがあり、また、手間もかかっていた。
【００１７】
そこで、本実施形態においては、例えば、ＪＡＮコードの重複採番を防止し、ＪＡＮコートと各商品とを互いに一意的な関係にできる採番制御装置、採番制御方法および採番制御プログラムを提供している。また、本実施形態に係る採番制御装置、採番制御方法および採番制御プログラムにおいては、ＪＡＮコードにおける国コードおよびメーカーコード部分は、各社ごとに設定可能であるため、汎用性が高い。さらに、本実施形態に係る採番制御装置、採番制御方法および採番制御プログラムにおいては、ＪＡＮコードにおけるアイテムコードのカウントアップ（詳細は後述する）およびチェックディジットコードの算出を自動で行うことができる。以下、具体的な構成および動作について説明する。
【００１８】
［２．構成］
本実施形態に係る採番制御装置１００の構成について、図１を用いて説明する。図１は、採番制御装置１００の構成の一例を示すブロック図である。
【００１９】
採番制御装置１００は、市販のデスクトップ型パーソナルコンピュータである。なお、採番制御装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２０】
採番制御装置１００は、図１に示すように、制御部１０２と通信インターフェース部１０４と記憶部１０６と入出力インターフェース部１０８と、を備えている。採番制御装置１００が備えている各部は、任意の通信路を介して通信可能に接続されている。
【００２１】
通信インターフェース部１０４は、ルータ等の通信装置および専用線等の有線または無線の通信回線を介して、採番制御装置１００をネットワーク３００に通信可能に接続する。通信インターフェース部１０４は、他の装置と通信回線を介してデータを通信する機能を有する。ここで、ネットワーク３００は、採番制御装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。
【００２２】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２３】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２４】
記憶部１０６は、事業者番号が記憶されている国コードマスタ１０６ａおよびメーカーコードマスタ１０６ｂと、最小自由番号マスタとしてのアイテムコードマスタ１０６ｃと、商品管理番号マスタとしての商品マスタ１０６ｄと、を備えている。
【００２５】
以下、商品管理番号について説明した後に、記憶部１０６に含まれる各マスタの詳細について説明する。
【００２６】
まず、商品管理番号について説明する。商品管理番号とは、各商品と商品管理番号とが１：１の関係となるように、各商品に対して採番される番号である。言い換えると、各商品と商品管理番号とは、互いに一意な関係になると言える。商品管理番号は、事業者を識別するための事業者番号と、前記事業者が各商品に対して自由に採番可能な自由番号と、を含む。商品管理番号としては、例えば、ＪＡＮコード、ＥＡＮコード、ＵＰＣコード、車台番号、車両識別番号等が例示できるが、前記事業者番号と前記自由番号とを含む番号であれば、これらの例示以外の番号であってもよい。
【００２７】
ＪＡＮコードには、１３桁の数字からなる標準タイプのものと、８桁の数字からなる短縮タイプのものとが存在する。１３桁の数字からなる標準タイプのＪＡＮコードを、図２を用いて説明する。１３桁の数字からなる標準タイプのＪＡＮコードは、図２に示すように、前記事業者番号に相当する国コードおよびメーカーコードと、前記自由番号に相当するアイテムコードと、チェックディジット（Ｃ／Ｄ）と、からなる。国コードは、１〜２桁目の数字であり、日本の企業の場合は、４５または４９の数字が採番される。メーカーコードは、３〜７桁目の数字であり、申請を行った各企業それぞれに対し、流通システム開発センターより採番される数字であり、各企業を識別するためのものである。アイテムコードは、８〜１２桁目の数字で、各メーカー（事業者）が各商品に対して自由に採番可能な数字であり、各商品を識別するためのものである。チェックディジット（Ｃ／Ｄ）は、１３桁目の数字であり、バーコードスキャン時の誤読を防ぐために採番される数字である。なお、本実施形態に係る採番制御装置１００は、商品管理番号が、ＪＡＮコードである場合以外にも使用可能だが、以下においては、説明の便宜上、商品管理番号が、１３桁の数字からなる標準タイプのＪＡＮコードである場合について説明する。
【００２８】
つぎに、記憶部１０６に含まれる各マスタの詳細について、図３を用いて説明する。
【００２９】
図３上段の国コードに示すように、国コードマスタ１０６ａは、国コードを記憶する。国コードマスタ１０６ａは、メーカーが日本のメーカーである場合、国コードとして４５または４９の数字を記憶する。国コードマスタ１０６ａは、任意の構成要素だが、生成部１０２ａが、ＪＡＮコードを自動で生成する場合に必要な情報であるため、採番制御装置１００に含まれることが好ましい。
【００３０】
図３上段のメーカーコードに示すように、メーカーコードマスタ１０６ｂは、メーカーコードを記憶する。なお、通常、メーカーコードマスタは、１つのメーカーに対して１つのみ採番されるため、基本的に、メーカーコードマスタ１０６ｂは、そのメーカーに対応する１つのメーカーコードのみを記憶する。しかしながら、例えば、アイテムコードを９９９９９まで使用してしまった場合、アイテムコードの採番がそれ以上できなくなるので、この場合には、同一メーカーが２つ目のメーカーコードを取得し、再びアイテムコード００００１から採番することがある。このような場合、メーカーコードマスタ１０６ｂは、２つ以上のメーカーコードを記憶する。メーカーコードマスタ１０６ｂは、任意の構成要素だが、生成部１０２ａが、ＪＡＮコードを自動で生成する場合に必要な情報であるため、採番制御装置１００に含まれることが好ましい。
【００３１】
図３上段のアイテムコードに示すように、アイテムコードマスタ１０６ｃは、既に使用された自由番号に１だけ加算した数を、使用可能な最小自由番号として記憶する。例えば、あるメーカーが、自由番号として、００００１から０９９９９までを既に採番して使用した場合、使用可能な最小自由番号は、０９９９９＋１＝１００００となる。最小自由番号マスタ１０６ｃは任意の構成要素だが、生成部１０２ａが、ＪＡＮコードを自動で生成する場合に必要な情報であるため、また、手入力の場合に、オペレータが、使用可能なアイテムコードを効率よくかつ正確に把握できるため、採番制御装置１００に含まれることが好ましい。
【００３２】
図示していないが、商品マスタ１０６ｄは、既に使用された商品管理番号を記憶する。例えば、商品管理番号として、４９１２３４５００００１８から４９１２３４５０９９９９８までを既に使用した場合、９９９９個の番号が、商品マスタ１０６ｄ中に記憶されていることとなる。
【００３３】
制御部１０２は、採番制御装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、（１）前記商品管理番号を生成する生成手段としての生成部１０２ａと、（２）当該生成または入力された商品管理番号が、前記商品管理番号マスタ中に存在するか存在しないかを判定する判定手段としての判定部１０２ｂと、（３）前記存在しない場合、前記生成または入力された商品管理番号を、前記商品管理番号マスタに登録する登録部１０２ｃと、（４）前記存在しない場合であって、かつ、前記生成または入力された商品管理番号における自由番号が、前記最小自由番号と比較して同じまたは大きい場合、前記生成または入力された商品管理番号における自由番号に１だけ加算した数を、使用可能な最小自由番号として、前記最小自由番号マスタ中に更新する更新手段としての更新部１０２ｄと、を備えている。これらのうち、生成部１０２ａ、登録部１０２ｃおよび更新部１０２ｄは、任意の構成要素であるが、以下［３．処理の具体例］で説明する理由により、制御部１０２に含まれることが好ましい。なお、各部が実行する処理の詳細については、以下の［３．処理の具体例］にて詳細に説明する。
【００３４】
［３．処理の具体例］
本実施形態に係る処理の具体例について説明する。本実施形態に係る採番制御装置１００において、各商品に対しての採番の仕方は、自動採番であってもよいし、オペレータの手入力による採番であってもよい。このため、最初に、自動採番の処理について説明し、つぎに、オペレータの手入力による採番の処理について説明する。
【００３５】
なお、本実施形態においては、自動採番と手入力による採番の両方の場合において、図３の上段に示すように、国コードマスタ１０６ａには、国コード４９が、メーカーコードマスタ１０６ｂには、メーカーコード１２３４５が、アイテムコードマスタ１０６ｃには、使用可能な最小自由番号として１００００が記憶されていると仮定して説明する。
【００３６】
［３−１．自動採番］
最初に、自動採番により、ＪＡＮコード「４９１２３４５１００００８」を生成する場合について、図４および図５を用いて説明する。図４および図５は、本実施形態に係る採番制御処理のうち、自動採番の場合のフローチャートの一例を示す図である。
【００３７】
（生成処理）
生成部１０２ａは、記憶部１０６から取得した事業者番号と、アイテムコードマスタ１０６ｃから取得した最小自由番号と、を組み合わせる生成処理を行うことにより、ＪＡＮコード「４９１２３４５１００００８」を生成する。なお、生成部１０２ａは、任意の構成要素だが、自動採番を行うのに必要であるため、採番制御装置１００に含まれることが好ましい。
【００３８】
具体的には、生成部１０２ａは、図４に示すように、国コードマスタ１０６ａから国コード４９を取得し（ステップＳ１）、メーカーコードマスタ１０６ｂからメーカーコード１２３４５を取得する（ステップＳ２）。これらの国コードおよびメーカーコードの組合せである４９１２３４５が、事業者番号となる。
【００３９】
続いて、生成部１０２ａは、アイテムコードマスタ１０６ｃから取得した最小自由番号１００００を取得する（ステップＳ３）。
【００４０】
続いて、本項目は自動採番による処理であるため、ステップＳ４において、ＮＯの方へと進む。続いて、生成部１０２ａは、前記事業者番号４９１２３４５と、前記最小自由番号１００００と、を組み合わせて（統合する）、統合コード４９１２３４５１００００を生成する（ステップＳ５）。そして、図５のＡへと繋がる。
【００４１】
生成部１０２ａは、図５に示すように、前記統合コードに対してチェックディジットである８を付与することにより、ＪＡＮコード「４９１２３４５１００００８」を生成する（ステップＳ６）。
【００４２】
（判定処理）
判定部１０２ｂは、生成されたＪＡＮコード「４９１２３４５１００００８」が、商品マスタ１０６ｄ中に存在するか存在しないかを判定する判定処理を行う。
【００４３】
判定部１０２ｂは、図５に示すように、生成されたＪＡＮコードが、商品マスタ１０６ｄ中に存在するか存在しないかを判定し（ステップＳ７）、存在する場合（ＹＥＳの場合）、オペレータにエラーを通知した上で（ステップＳ８）、処理を終了する。
【００４４】
一方、判定部１０２ｂは、生成されたＪＡＮコードが、商品マスタ１０６ｄ中に存在しない場合（ＮＯの場合）、つぎの登録処理へと進む。
【００４５】
（登録処理）
登録部１０２ｃは、前記存在しない場合、前記生成されたＪＡＮコードを、商品マスタ１０６ｄに登録する登録処理を行う（ステップＳ９）。なお、登録部１０２ｃは、任意の構成要素だが、今回生成されたＪＡＮコードを商品マスタ１０６ｄに登録しておけば、次回採番時に、商品マスタ１０６ｄを参照することにより効率よく重複採番を避けることができるため、採番制御装置１００に含まれることが好ましい。
【００４６】
（更新処理）
更新部１０６ｄは、前記存在しない場合であって、かつ、前記生成されたＪＡＮコードにおける自由番号１００００が、アイテムコードマスタ１０６ｃ中における最小自由番号１００００と同じである場合、前記生成されたＪＡＮコードにおける自由番号１００００に１だけ加算した数である１０００１を、使用可能な最小自由番号として、アイテムコードマスタ１０６ｃ中に更新する更新処理を行う（ステップＳ１０）。これにより、次回ＪＡＮコードを作成する場合に、生成部１０２ａは、アイテムコードマスタ１０６ｃから、使用可能な最小自由番号である１０００１を自動的に取得して、ＪＡＮコードを生成することができる。このため、更新部１０２ｄは、任意の構成要素だが、採番制御装置１００に含まれることが好ましい。
【００４７】
更新処理終了後、（商品マスタ登録処理終了）の項目に示すように、採番制御装置１００は、自動採番の処理をすべて終了する。
【００４８】
［３−２．手入力による採番］
つぎに、手入力により、ＪＡＮコード「４９１２３４５１００１０８」を採番する場合について、主に、図３、図６および図７を用いて説明する。図３は、記憶部に格納されているマスタおよびＪＡＮコード入力画面の一例を示す図である。図６および図７は、本実施形態に係る採番制御処理のうち、手入力による採番の場合のフローチャートの一例を示す図である。
【００４９】
手入力の場合の、ＪＡＮコード入力画面の一例を図３の品番マスタメンテに示す。図３の品番マスタメンテに示すように、入力されるＪＡＮコード（ＪＡＮＣＤ）は、前述のとおり４９１２３４５１００１０８である。なお、入力画面の項目として、ＪＡＮコードの他に、商品コード、商品名、ＪＡＮ作成区分等の項目を含んでいてもよい。ＪＡＮ作成区分の項目においては、ＪＡＮコードの作成方法として「０．自動作成」または「１．手入力」のいずれかを選択でき、「０．自動作成」を選択した場合には、前述の［３−１．自動採番］で説明した方法でＪＡＮコードが自動採番され、「１．手入力」を選択した場合には、本段落で説明したように、オペレータが手入力でＪＡＮコードを入力する。
【００５０】
手入力による採番の場合、図４のステップＳ４において、ＹＥＳの方へと進み、図６のＣへと繋がる。
【００５１】
まず、採番制御装置１００は、図６に示すように、手入力されたＪＡＮコードの国コード（４９）・メーカーコード（１２３４５）部分が、国コードマスタ１０６ａに記憶されている国コード４９およびメーカーコードマスタ１０６ｂに記憶されているメーカーコード１２３４５と同じものか否かを判断する（ステップＳ１１）。
【００５２】
本例とは異なり、同じものではない場合（ＮＯの場合）、手入力されたＪＡＮコードに関して、ステップＳ１２の判定処理が行われた後、ステップＳ１３のエラー通知またはステップＳ１４の登録処理が行われる。なお、ステップＳ１２の判定処理、ステップＳ１３のエラー通知およびステップＳ１４の登録処理の内容は、それぞれ、ステップＳ７の判定処理、ステップＳ８のエラー通知およびステップＳ９の登録処理の内容と同様である。
【００５３】
一方、本例のように、同じものである場合（ＹＥＳの場合）、採番制御装置１００は、手入力されたＪＡＮコードにおける自由番号１００１０が、最小自由番号１００００と比較して同じまたは大きいか、あるいは、小さいかを判定する（ステップＳ１５）。
【００５４】
本例と異なり、ステップＳ１５において、小さい場合（ＮＯの場合）、手入力されたＪＡＮコードに関して、ステップＳ１６の判定処理が行われた後、ステップＳ１７のエラー通知またはステップＳ１８の登録処理が行われる。なお、ステップＳ１６の判定処理、ステップＳ１７のエラー通知およびステップＳ１８の登録処理の内容は、それぞれ、ステップＳ７の判定処理、ステップＳ８のエラー通知およびステップＳ９の登録処理の内容と同様である。
【００５５】
一方、本例のように、ステップＳ１５において、大きい場合（ＹＥＳの場合）、図７のＤへと繋がり、採番制御装置１００は、図７に示すように、手入力された自由番号１００１０を、アイテムコードマスタ１０６ｃに上書き更新する（ステップＳ１９）。ただし、この自由番号１００１０の保存は、一時的なもので、この後に説明するステップＳ２３に示す更新処理により、すぐに１００１１へと上書き更新される。図３右下のアイテムコードマスタにおいては、前記更新処理により、自由番号が１００１１へと上書き更新されている。
【００５６】
なお、ステップＳ１５において、大きい場合（ＹＥＳの場合）、ステップＳ１９に進む前に、本例の手入力された自由番号（１００１０）と最小自由番号（１００００）のように数値に隔たりがある場合、その間の数字が空き番となり無駄になるため、これを回避するために、採番制御装置１００は、手入力された自由番号（１００１０）に誤りがないか、オペレータに警告表示してもよい。
【００５７】
ステップＳ１９の終了後、手入力されたＪＡＮコードに関して、ステップＳ２０の判定処理が行われた後、ステップＳ２１のエラー通知またはステップＳ２２の登録処理が行われる。なお、ステップＳ２０の判定処理、ステップＳ２１のエラー通知およびステップＳ２２の登録処理の内容は、それぞれ、ステップＳ７の判定処理、ステップＳ８のエラー通知およびステップＳ９の登録処理の内容と同様である。ステップＳ２０の判定処理において、ＮＯの方へと進み、ステップＳ２２の登録処理が行われた後、更新部１０２ｄは、入力されたＪＡＮコードにおける自由番号１００１０に１だけ加算した数である１００１１を、使用可能な最小自由番号として、最小自由番号マスタ１０６ｃ中に更新する更新処理を行う（ステップＳ２３）。これにより、次回ＪＡＮコードを入力する場合に、オペレータは、使用可能な最小自由番号である１００１１を効率よくかつ正確に把握することができる。このため、更新部１０２ｄは、任意の構成要素だが、採番制御装置１００に含まれることが好ましい。
【００５８】
更新終了後、（商品マスタ登録処理終了）の項目に示すように、採番制御装置１００は、手入力による採番の処理をすべて終了する。
【００５９】
なお、本例においては、手入力されたＪＡＮコードにおける自由番号１００１０が、最小自由番号１００００と比較して大きい場合について説明したが、仮に、手入力されたＪＡＮコードにおける自由番号が１００００であり、最小自由番号１００００と比較して同じである場合にも、図６のステップＳ１５においてＹＥＳの方へと進み、前述と同様の処理を行ってもよい。
【００６０】
以上のように、自動採番および手入力による採番のいずれの場合においても、本実施形態に係る採番制御装置１００によれば、生成または入力されたＪＡＮコードが、既に使用されたＪＡＮコードを記憶する商品マスタ１０６ｄ中に存在する場合、エラーが通知されるため、重複採番を防止できる。
【００６１】
［４．他の実施形態］
本発明は、上述した実施形態以外にも、特許請求の範囲に記載した技術的思想の範囲内において種々の異なる実施形態にて実施されてよいものである。
【００６２】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６３】
また、本明細書中や図面中で示した処理手順、制御手順、具体的名称、各処理の登録データや検索条件等のパラメータを含む情報、画面例、データベース構成については、特記する場合を除いて任意に変更することができる。
【００６４】
また、採番制御装置１００に関して、図示の各構成要素は機能概念的なものであり、必ずしも物理的に図示の如く構成されていることを要しない。
【００６５】
例えば、採番制御装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて採番制御装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００６６】
また、このコンピュータプログラムは、採番制御装置１００に対して任意のネットワークを介して接続されたアプリケーションプログラムサーバに記憶されていてもよく、必要に応じてその全部または一部をダウンロードすることも可能である。
【００６７】
また、本実施形態で説明した処理を実行するためのプログラムを、一時的でないコンピュータ読み取り可能な記録媒体に格納してもよく、また、プログラム商品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。  したがって、本明細書で説明したような処理又は処理方法を実行するためのプログラムを格納した記録媒体もまた本発明を構成することとなる。
【００６８】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００６９】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７０】
また、採番制御装置１００は、既知のパーソナルコンピュータまたはワークステーション等の情報処理装置として構成してもよく、また、任意の周辺装置が接続された当該情報処理装置として構成してもよい。また、採番制御装置１００は、当該装置に本実施形態で説明した処理を実現させるソフトウェア（プログラムまたはデータ等を含む）を実装することにより実現してもよい。
【００７１】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７２】
本発明は、特に、小売業界、卸売業界等の分野において有用である。
【符号の説明】
【００７３】
１００  採番制御装置
１０２  制御部
１０２ａ  生成部
１０２ｂ  判定部
１０２ｃ  登録部
１０２ｄ  更新部
１０４  通信インターフェース部
１０６  記憶部
１０６ａ  国コードマスタ
１０６ｂ  メーカーコードマスタ
１０６ｃ  アイテムコードマスタ
１０６ｄ  商品マスタ
１０８  入出力インターフェース部
１１２  入力装置
１１４  出力装置
２００  サーバ
３００  ネットワーク
【図１】
2018073286.tif 000003
【図２】
2018073286.tif 000004
【図３】
2018073286.tif 000005
【図４】
2018073286.tif 000006
【図５】
2018073286.tif 000007
【図６】
2018073286.tif 000008
【図７】
2018073286.tif 000009